(57)【要約】【課題】コストアップにならないようにして下地に対する建築板の取り付け位置を容易に変更することができる建築板の取り付け構造を提供する。【解決手段】建築板１の対向する両端面に複数個の被挿入孔２、２…を建築板１の少なくとも厚み方向に並べて設ける。下地３に取り付けた保持具４に挿入突部５を設ける。挿入突部５を被挿入孔２に差し込むことによって保持具４に建築板１を保持する。挿入突部５を差し込む被挿入孔２を適宜選択することによって、保持具４に対する建築板１の保持位置を変更することができる。【選択図】図１
2009209612.tif 000002
【特許請求の範囲】
【請求項１】
建築板の対向する両端面に複数個の被挿入孔を建築板の少なくとも厚み方向に並べて設け、下地に取り付けた保持具に挿入突部を設け、挿入突部を被挿入孔に差し込むことによって保持具に建築板を保持して成ることを特徴とする建築板の取り付け構造。
【請求項２】
建築板を貫通するように被挿入孔を形成して成ることを特徴とする請求項１に記載の建築板の取り付け構造。
【請求項３】
複数枚の建築板を厚み方向と直交する方向に並べて配設し、一部の建築板を他の建築板に対して厚み方向で位置ずれさせて配設して成ることを特徴とする請求項１又は２に記載の建築板の取り付け構造。
【発明の詳細な説明】
【技術分野】
【０００１】
本発明は、壁材等の建築板を施工する際に取り付ける構造に関するものである。
【背景技術】
【０００２】
従来より、中空孔を有するセメント系の建築板を壁材や床材などとして用いることが行われている（例えば、特許文献１参照）。このような建築板を下地に取り付けるにあたっては、建築板の裏面（背面）にＺ形のクランプ金具を設け、躯体などの下地にＬ形のアングル材を設け、アングル材の一片を建築板の裏面とクランプ材との間で挟持することによって、建築板をクランプ金具とアングル材とで下地に取り付けるようにしている。
【特許文献１】特開平０９−０６０１９２号公報
【発明の開示】
【発明が解決しようとする課題】
【０００３】
しかし、上記の従来例では、下地に対する建築板の取り付け位置を容易に変更することができないという問題があった。すなわち、下地に対して建築板を近接したり離間したりする場合には大きさの異なるアングル材を複数種類用意しておかなければならず、コストアップになるという問題があった。また、下地に対する建築板の距離を一定に保ちながら建築板の取り付け位置を上下左右（建築板が横長に施工される場合（いわゆる横張り施工）は上下方向に、また、建築板が縦長に施工される場合（いわゆる縦張り施工）は左右方向）に変える場合は、下地に対するアングル材の取り付け位置や建築板に対するクランプ金具の取り付け位置を変更しなければならず、作業に手間がかかりコストアップになるという問題があった。
【０００４】
本発明は上記の点に鑑みてなされたものであり、コストアップにならないようにして下地に対する建築板の取り付け位置を容易に変更することができる建築板の取り付け構造を提供することを目的とするものである。
【課題を解決するための手段】
【０００５】
本発明の請求項１に係る建築板の取り付け構造は、建築板１の対向する両端面に複数個の被挿入孔２、２…を建築板１の少なくとも厚み方向に並べて設け、下地３に取り付けた保持具４に挿入突部５を設け、挿入突部５を被挿入孔２に差し込むことによって保持具４に建築板１を保持して成ることを特徴とするものである。
【０００６】
本発明の請求項２に係る建築板の取り付け構造は、請求項１において、建築板１を貫通するように被挿入孔２を形成して成ることを特徴とするものである。
【０００７】
本発明の請求項３に係る建築板の取り付け構造は、請求項１又は２において、複数枚の建築板１、１…を厚み方向と直交する方向に並べて配設し、一部の建築板１ａを他の建築板１ｂに対して厚み方向で位置ずれさせて配置して成ることを特徴とするものである。
【発明の効果】
【０００８】
請求項１の発明では、挿入突部５を差し込む被挿入孔２を適宜選択することによって、保持具４に対する建築板１の保持位置を変更することができる。従って、施工現場等に応じて大きさの異なる複数種の保持具４を用意したり下地３に対する保持具４の取り付け位置を変更したりしなくても、下地３に対して建築板１を近接離間したり、下地３に対する建築板１の距離を一定に保ちながら建築板１の取り付け位置を上下左右に変えたりすることができ、コストアップにならないようにして下地３に対する建築板１の取り付け位置を容易に変更することができるものである。
【０００９】
請求項２の発明では、被挿入孔２を挿入突部５を差し込むだけでなく、空気や排水の流路などとして用いることができ、壁や床に容易に機能を付与することができるものである。
【００１０】
請求項３の発明では、位置ずれさせた建築板１ａと下地３との間に空間を形成することができ、壁の一部のみに空気層を容易に形成することができるものである。
【発明を実施するための最良の形態】
【００１１】
以下、本発明を実施するための最良の形態を説明する。
【００１２】
図２に本発明の建築板１を示す。この建築板１は上下方向に長くて幅方向に短く、且つ略平板状に形成されている。また、建築板１の内部には多数個の被挿入孔２、２…が形成されており、いわゆるハニカムパネルを用いることができる。被挿入孔２は上下方向に長く連続するように形成されており、被挿入孔２の上端は建築板１の上端面に開口していると共に被挿入孔２の下端は建築板１の下端面に開口している。被挿入孔２の個数や直径は建築板１の板厚や幅寸法などに応じて適宜設定することができるが、少なくとも建築板１の厚み方向には規則的に複数個の被挿入孔２、２…を並べて配置するようにする。また、建築板１の幅方向にも規則的に複数個の被挿入孔２、２…を並べて配置することができる。図２のものでは、建築板１の厚み方向に五個の被挿入孔２、２…が並ぶ列と、建築板１の厚み方向に四個の被挿入孔２、２…が並ぶ列とがあり、各列が建築板１の幅方向に交互に並んで形成されている。また、被挿入孔２の断面形状は円形や四角形、六角形などの任意の形状に形成することができる。尚、図２の建築板１では、上下に対向する上端面と下端面に被挿入孔２を開口させているが、これに限らず、建築板１の左右に対向する両方の側端面に被挿入孔２を開口させてもよい。また、建築板１は上下方向に長く形成する場合だけでなく、横方向に長く形成しても良い。
【００１３】
上記のような建築板１は無機系、樹脂系、金属系などの任意の材料で形成することができるが、セメントと水と油性物質を主成分とするセメント含有逆エマルジョン組成物からなるセメント系成形材料を用いることができる。これにより、多数の被挿入孔２を有する基板１を押し出し成形により容易に形成することができ、また、吸水が少なく寒冷地において凍結が発生し難くなるものである。この組成物において、セメントと水の比率は任意に設定することができるが、重量比率で、セメント１に対して水０．３〜２の範囲が一般的に好ましい。
【００１４】
セメントとしては、特に制限されるものではないが、ポルトランドセメント、フライアッシュセメント、高炉セメント、アルミナセメント、ハイアルミナセメント、シリカフュームセメントなどを挙げることができるものであり、これらを一種単独で用いたり、二種以上を併用したりすることができる。油性物質は水と逆エマルジョン（Ｗ／Ｏエマルジョン）を形成するためのものであり、特に制限されるものではないが、通常は疎水性の液状物質が利用され、例えばトルエン、キシレン、灯油、スチレン、ジビニルベンゼン、メチルメタクリレート、トリメチロールプロパントリメタクリレート、不飽和ポリエステル樹脂等を挙げることができ、これらを一種単独で用いたり、二種以上を併用したりすることができる。油性物質の配合量は、セメント含有逆エマルジョン組成物中の水と固形分の総量に対して５〜１０体積％の範囲が好ましい。セメント含有逆エマルジョン組成物には上記の成分の他に、乳化剤を配合することが好ましい。乳化剤は逆エマルジョンに安定性を付与するために配合されるものであり、例えばソルビタンセスキオール、グリセロールモノステアレート、ソルビタンモノオレート、ジエチレングリコールモノステアレート、ソルビタンモノステアレート、ジグリセロールモノオレート等の非イオン界面活性剤、各種アニオン系界面活性剤、カチオン系界面活性剤等を用いることができる。乳化剤の配合量はセメント含有逆エマルジョン組成物中の水と固形分の総量に対して１〜３体積％の範囲が好ましい。セメント含有逆エマルジョン組成物中にはさらに、適宜量の補強材や各種添加剤を配合することができる。補強材としては、例えば砂利、パーライト、シラスバルーン、ガラス粉、アルミナシリケートなどの骨材、ポリプロピレン繊維、アクリル繊維、ビニロン繊維、アラミド繊維等の合成繊維や、炭素繊維、ガラス繊維、パルプなどの補強繊維を挙げることができる。
【００１５】
以下に、建築板１の製造方法の一例を示す。まず、乳化剤（例えば、ヤシ油１．０〜２．０質量部）、スチレンモノマー４．０〜６．０質量部、水３５．０〜５０．０質量部及び適量の架橋剤と重合開始剤とを混合して逆エマルジョンを作製する。次に、この逆エマルジョン１００質量部と、セメント７０〜９０質量部と、有機系軽量化材０．３〜５．０質量部と、補強繊維１．０〜２．０質量部、或いは上記逆エマルジョン１００質量部と、セメント５５．０〜７５．０質量部と、無機系軽量化材１５．０〜３５．０質量部と、補強繊維１．０〜２．０質量部とを強制攪拌機あるいは連続混合機にて混合してセメント含有逆エマルジョン組成物を調製する。次に、セメント含有逆エマルジョン組成物を押出成形機に投入して成形シートを押し出し成形する。このとき、押出成形機にはあらかじめ成型しようとする中空断面形状の口金を取り付けておく。この後、押出成形機から押し出し成形された中空断面形状の成形シートをトレイで受け取る。次に、成形シートを蒸気養生を行って硬化させた後、表面や端面の仕上げ加工を行うと共に所定の寸法に裁断して建築板１を形成する。この後、必要に応じて実加工を行ってもよい。
【００１６】
図３に保持具４の一例を示す。保持具４は金具などで形成することができ、下保持具４ａと上保持具４ｂとを用いることができる。下保持具４ａは水平板状の支持片１０と、支持片１０の一端からほぼ垂直上方に向かって突出させた固定片１１と、支持片１０の上面に突設された複数本の挿入突部５、５…とを備えて形成されている。固定片１１には複数個の固定孔１１ａが厚み方向に貫通して形成されている。また、挿入突部５は三本であり、そのうち二本が横方向に並び、この二本よりも支持片１０の先端側に残りの一本が設けられている。上保持具４ｂは水平板状の押さえ片１２と、押さえ片１２の一端からほぼ垂直上方に向かって突出させた固定片１１と、押さえ片１２の上記一端からほぼ垂直下方に向かって突出させたスペーサ片１３と、押さえ片１２の下面に突設された複数本の挿入突部５、５…とを備えて形成されている。固定片１１には複数個の固定孔１１ａが厚み方向に貫通して形成されている。また、挿入突部５は三本であり、そのうち二本が横方向に並び、この二本よりも押さえ片１２の先端側に残りの一本が設けられている。
【００１７】
そして、上記の建築板１と保持具４とを用いて外壁等を形成するにあたっては、以下のようにする。まず、壁下地などの下地３の屋外側に下保持具４ａを取り付ける。下地３は、基礎２０と土台２１及び土台２１上に立設される柱や胴縁などの複数本の下地材２２を備えたものを例示することができる。この下地３の土台２１の屋外面には土台水切り２３を取り付けることができる。また、下地３の全部の下地材２２、２２…の屋外側を全体にわたって覆うようにして通気防水シート２４が配設されている。そして、通気防水シート２４の屋外側に下保持具４ａの固定片１１を当接させながら、その固定孔１１ａからビスなどの固定具を下地材２２に打ち込むことによって、通気防水シート２４を介して下保持具４ａを下地材２２に取り付けることができる。
【００１８】
次に、下地３に取り付けた上記の下保持具４ａに建築板１を保持させる。この場合、建築板１の下端面に開口する被挿入孔２を下保持具４ａの挿入突部５に差し込みながら、建築板１を下保持具４ａの支持片１０に載置する。次に、建築板１に上保持具４ｂを取り付ける。この場合、建築板１の上端面に開口する被挿入孔２に上保持具４ｂの挿入突部５を差し込みながら、建築板１の上に上保持具４ｂを取り付ける。尚、上保持具４ｂは建築板１を下保持具４ａに載置する前に取り付けておいても良い。また、下保持具４ａの各挿入突部５を差し込む被挿入孔２と上保持具４ｂの各挿入突部５を差し込む被挿入孔２とは上下に連なった同じ被挿入孔２である。次に、建築板１の裏面側（背面側）に突出した上保持具４ｂの固定片１１を通気防水シート２４の屋外側に当接させながら、その固定孔１１ａからビスなどの固定具を下地材２２に打ち込むことによって、通気防水シート２４を介して上保持具４ｂを下地材２２に取り付ける。このようにして上保持具４ｂと下保持具４ａとで建築板１を挟んで保持することによって、建築板１を下地３に取り付けることができる。そして、下保持具４ａ、建築板１、上保持具４ｂの各取り付け作業を繰り返すことにより複数枚の建築板１、１…を横方向に並べて外壁等の壁を形成することができるものである。
【００１９】
図１のものでは、建築板１と通気防水シート２４との間に空間を設けて通気層２５として形成している。従って、挿入突部５の差し込む被挿入孔２は建築板１の厚み方向に並ぶ複数個の被挿入孔２、２…のうち、比較的下地３に近い方（屋内側）に位置する被挿入孔２である。一方、図４に示すものでは、建築板１と通気防水シート２４との間にほとんど空間を設けずに形成している。従って、挿入突部５の差し込む被挿入孔２は建築板１の厚み方向に並ぶ複数個の被挿入孔２、２…のうち、比較的下地３から遠い方（屋外側）に位置する被挿入孔２である。
【００２０】
このように本発明では、保持具４の下地３からの突出長さを変えることなく、建築板１を下地３に対して近接離間することができる。また、下地３に対する保持具４の取り付け位置を変更しなくても、保持具４に対して建築板１を横方向に移動させて、挿入突部５を差し込む被挿入孔２を変更することによって、下地３に対する建築板１の距離を一定に保ちながら建築板１の取り付け位置を上下左右に変えたりすることができる。従って、施工現場等に応じて大きさの異なる複数種の保持具４を用意する必要がなく、また、建築板１の取り付け位置も容易に変更できるために、コストアップにならないようにすることができる。尚、建築板１と通気防水シート２４との間に空間を設けない場合は、建築板１の下部裏面と下地３との間に下保持具４ａの固定片１１が介在すると共に、建築板１の上部裏面と下地３との間に上保持具４ｂのスペーサ片１３が介在するために、建築板１を傾かないように取り付けることができる。
【００２１】
また、本発明では、図５に示すように、横方向に並べて取り付けた建築板１、１…のうち、一部の建築板１ａのみを下地３から離間した位置に取り付け、他の建築板１ｂは下地３に近接させた位置に取り付けるようにすることができる。この場合、外壁の一部のみに通気層２５を形成することができる。しかも、下地３から離間する建築板１ａや保持具４は、下地３に近接させた建築板１ｂや保持具４と同じものを使用できるものであり、コストアップにならないようにして下地３に対する建築板１の取り付け位置を容易に変更することができるものである。
【００２２】
図６に建築板１を用いた壁構造及び床構造の一例を示す。壁構造（真壁）は、一対の柱３０、３０の間に複数枚の建築板１、１…を配置して形成されている。隣接する建築板１、１は実接合されるが、オープンジョイントにより若干の隙間３１を設けるようにしている。また、建築板１の屋内側には胴縁３２を介して機能性内装材３３が設けられている。また、床構造は複数本の根太３４、３４…の上に、複数枚の建築板１、１…敷設している。また、建築板１の上にはシート状の床表面材３５を敷設している。そして、上記壁構造や床構造を形成するにあたって、上記の建築板１の取り付け構造を採用することができる。
【図面の簡単な説明】
【００２３】
【図１】本発明の実施の形態の一例を示し、（ａ）は横断面図、（ｂ）は縦断面図である。
【図２】同上の建築板の一例を示す斜視図である。
【図３】同上の保持具を示し、（ａ）は下保持具の斜視図、（ｂ）は上保持具の斜視図である。
【図４】同上の他の実施の形態を示し、（ａ）は横断面図、（ｂ）は縦断面図である。
【図５】同上の他の実施の形態を示し、（ａ）は横断面図、（ｂ）は縦断面図である。
【図６】同上の他の実施の形態を示す概略の斜視図である。
【符号の説明】
【００２４】
１  建築板
２  被挿入孔
３  下地
４  保持具
５  挿入突部
【図１】
2009209612.tif 000003
【図２】
2009209612.tif 000004
【図３】
2009209612.tif 000005
【図４】
2009209612.tif 000006
【図５】
2009209612.tif 000007
【図６】
2009209612.tif 000008